(57)【特許請求の範囲】
【請求項１】
合成樹脂塗料を充填したスプレー缶でなる容器本体の上部に樹脂製のキャップを冠着してなる容器であって、前記容器本体の上部に周設した係合突条と、左右両端がペンチ等の治具により分断可能な薄肉部を介してキャップに一体成形されそのキャップの径方向外方に突出する板状片からなりかつ外周側に下向きの爪部を有する前記係合突条に係合して前記キャップを容器本体にロックする係合爪を内周側に有するロック片とを備え、
キャップにおける前記ロック片成形位置の上側にこのキャップの下縁に沿う横長開口が形成されていることにより前記ロック片がその左右両端の前記薄肉部以外の部分でキャップから切り離されていると共に、そのロック片がマイナスドライバの差し込みが可能な上下方向に貫通する治具挿通孔を有し、
キャップにおける内周側の前記横長開口の高さ位置に、前記係合突条に圧入嵌合可能な嵌合溝が周設されていることを特徴とする容器。
【請求項２】
前記ロック片は、前記キャップの周方向に１８０度離れた位置で互いに対向する１対からなる請求項１に記載の容器。
【発明の詳細な説明】
【０００１】
【発明の属する技術分野】
この発明は、容器本体の上部にキャップを冠着してなるスプレー缶等の容器に関する。
【０００２】
【従来の技術】
この種の従来の容器では、容器全体を樹脂膜でシュリンク包装することにより、スーパーマーケット等の店頭に陳列したときに、容易に容器本体からキャップが取り外しできないようにしていた。
【０００３】
【発明が解決しようとする課題】
しかし、このような構成の場合、シュリンク包装を簡単に破ることができるため、店頭に陳列中に、容器本体からキャップを取り外して容器本体内の充填物を注出するといったいたずらを防止することができなかった。
【０００４】
この発明は、このような課題を解消し、店頭に陳列中に、容器本体からキャップを取り外して容器本体内の充填物を注出するといったいたずらを防止することができる容器を提供することを目的とする。
【０００５】
【課題を解決するための手段】
この発明の容器は、合成樹脂塗料を充填したスプレー缶でなる容器本体の上部に樹脂製のキャップを冠着してなる容器であって、前記容器本体の上部に周設した係合突条と、左右両端がペンチ等の治具により分断可能な薄肉部を介してキャップに一体成形されてそのキャップの径方向外方に突出する板状片からなりかつ外周側に下向きの爪部を有する前記係合突条に係合して前記キャップを容器本体にロックする係合爪を内周側に有するロック片とを備え、キャップにおける前記ロック片成形位置の上側にこのキャップの下縁に沿う横長開口が形成されていることにより前記ロック片がその左右両端の前記薄肉部以外の部分でキャップから切り離されていると共に、そのロック片がマイナスドライバの差し込みが可能な上下方向に貫通する治具挿通孔を有し、キャップにおける内周側の前記横長開口の高さ位置に、前記係合突条に圧入嵌合可能な嵌合溝が周設されている。
この構成によると、キャップに一体形成されたロック片の係合爪が、容器本体の上部の係合突条に係合することで、キャップが容器本体の上部にロックされるので、ペンチ等の治具を用いない限り、容器本体からキャップを取り外しできない。その結果、この容器を店頭に陳列しているとき、容器本体からキャップを取り外して容器本体内の充填物を注出するといったいたずらを確実に防止することができる。また、この容器の購入者は、前記ロック片を例えばペンチ等の治具で掴んでその薄肉部を分断することにより、ロック片の係合爪を容器本体の係合突条から係合解除させて、容器本体の上部からキャップを取り外すことができる。
【０００６】
前記容器において、前記ロック片は、前記キャップの周方向に１８０度離れた位置で互いに対向する１対からなるものとしても良い。この構成の場合は、１対のロック片とすることにより、容器本体の上部にキャップをより確実にロックさせることができる。
【０００７】
また、前記容器において、前記ロック片は、前記キャップからその径方向外方に突出する板状片からなり、その左右両端が薄肉部を介してキャップに一体化されているので、ロック片をペンチで掴んでひねることにより、ロック片の両端の薄肉部を分断してロック片をキャップから簡単に取り外すことができ、容器本体上部からのキャップの取り外しが可能となる。
【０００８】
また、前記容器において、前記ロック片は、さらにマイナスドライバの差し込みが可能な上下方向に貫通する治具挿通孔を有するので、ペンチに限らず、マイナスドライバやこれに類似した棒状の治具を前記治具挿通孔を差し込んでロック片をひねることにより、ロック片の両端の薄肉部を分断してロック片をキャップから簡単に取り外すことができ、治具の選択幅を広げることができる。
【０００９】
また、前記容器において、樹脂製のキャップにロック片が一体成形されているので、キャップへのロック片の一体化が容易になり、ロック片の分断や容器本体からの引き離しも容易に行うことができる。
【００１０】
【発明の実施の形態】
この発明の実施形態を図１ないし図５と共に説明する。図１はこの実施形態に係る容器の斜視図を示す。この容器１は、例えば合成樹脂塗料を充填したスプレー缶である容器本体２と、この容器本体２の上部に冠着されるキャップ３とからなる。容器本体２の上部外周には、図３（Ａ），（Ｂ）に縦断面図で示すように、外周側に下向きの爪部４ａを有する係合突条４が周設されている。キャップ３は樹脂製であり、その下縁近傍には、図３（Ａ）に示すように前記容器本体２の係合突条４に係合して、キャップ３を容器本体２にロックする係合爪６を内周側に有するロック片５が一体成形されている。前記ロック片５は、キャップ３からその径方向外方に突出する板状片からなり、その左右両端が薄肉部７を介してキャップ３に一体化されている。キャップ３における前記ロック片５成形位置の上側には、キャップ３の下縁に沿う横長開口８が形成されており、ロック片５は、前記左右両端の薄肉部７以外の部分ではキャップ３から切り離されている。また、キャップ３における内周側の前記横長開口８の高さ位置には、図３（Ｂ）に示すようにキャップ３を容器本体２の上部に冠着した状態で、容器本体２の係合突条４に緩く圧入嵌合可能な嵌合溝９が周設されている。
【００１１】
このように構成した容器１は、キャップ３に一体成形されたロック片５の係合爪６が、容器本体２の係合突条４に係合し、キャップ３が容器本体２の上部にロックして冠着された状態で、スーパーマーケット等の店頭に陳列されるので、治具なしで、容器本体２からキャップ３を取り外すことは殆ど不可能である。その結果、陳列中に、容器本体２からキャップ３を取り外して、容器本体２内の充填物を注出するといったいたずらを確実に防止することができる。
【００１２】
一方、この容器１の購入者は、図４に示すように、前記ロック片５を例えばペンチ等の治具Ａで掴んでその薄肉部７を分断することにより、ロック片５の係合爪６（図３（Ａ））を容器本体２の係合突条４から係合解除させて、容器本体２の上部からキャップ３を簡単に取り外すことができる。また、以後は、図３（Ｂ）に示すように、キャップ３の内周面の嵌合溝９を容器本体２の係合突条４に圧入嵌合させることにより、容器本体２の上部にキャップ３を容易に着脱できる。
【００１３】
また、前記ロック片５は、キャップ３の周方向に１つのみ形成し、少ないロック片５により、容器本体２の上部にキャップ３を確実にロックさせることができる。
【００１４】
さらに、前記キャップ３およびロック片５は樹脂製であり、キャップ３にロック片５が一体成形されているので、キャップ３へのロック片５の一体化が容易になり、ロック片５の分断や容器本体２からの引き離しも容易に行うことができる。
【００１５】
この実施形態の容器１では、ロック片５に、さらに、マイナスドライバ等の棒状の治具の差し込みが可能な上下方向に貫通する治具挿通孔１０を形成している。
【００１６】
この容器１の場合、先述したように治具Ａでロック片５をキャップ３から取り外すことができるだけでなく、例えば図５に示すように、ロック片５の治具挿通孔１０にマイナスドライバＢを差し込んで矢印Ｐのようにひねり、その薄肉部７を分断することにより、ロック片５の係合爪６（図３（Ａ））を容器本体２の係合突条４から係合解除させて、容器本体２の上部からキャップ３を簡単に取り外すことができ、治具の選択幅を広げることができる。
【００１７】
前記実施形態の容器１では、キャップ３にロック片５が１つ一体形成されているが、このロック片５を、図２の平面図の仮想線で示すように、キャップ３の周方向に１８０度離れた位置で互いに対向するように配置しても良い。このようにロック片５，５を、キャップ３の周方向に１８０度離れた位置で互いに対向する１対を形成した場合、容器本体２の上部にキャップ３をより確実にロックさせることができる。なお、ロック片５はキャップ３の周方向に３つ以上分離して配置しても良い。
【００１８】
【発明の効果】
この発明の容器は、合成樹脂塗料を充填したスプレー缶でなる容器本体の上部に樹脂製のキャップを冠着してなる容器であって、前記容器本体の上部に周設した係合突条と、左右両端がペンチ等の治具により分断可能な薄肉部を介してキャップに一体成形されそのキャップの径方向外方に突出する板状片からなりかつ外周側に下向きの爪部を有する前記係合突条に係合して前記キャップを容器本体にロックする係合爪を内周側に有するロック片とを備え、キャップにおける前記ロック片成形位置の上側にこのキャップの下縁に沿う横長開口が形成されていることにより前記ロック片がその左右両端の前記薄肉部以外の部分でキャップから切り離されていると共に、そのロック片がマイナスドライバの差し込みが可能な上下方向に貫通する治具挿通孔を有し、キャップにおける内周側の前記横長開口の高さ位置に、前記係合突条に圧入嵌合可能な嵌合溝が周設されている。そのため、ペンチ等の治具やマイナスドライバやこれに類似した棒状の治具を用いない限り、容器本体からキャップを取り外しできず、この容器を店頭に陳列しているとき、容器本体からキャップを取り外して容器本体内の充填物を注出するといったいたずらを確実に防止することができる。
また、この容器の購入者は、前記ロック片を例えばペンチ等の治具で掴んでその薄肉部を分断することにより、ロック片の係合爪を容器本体の係合突条から係合解除させて、容器本体の上部からキャップを取り外すことができる。また、ペンチに限らず、マイナスドライバやこれに類似した棒状の治具を前記治具挿通孔に差し込んでロック片をひねることにより、ロック片の両端の薄肉部を分断してロック片をキャップから簡単に取り外すことができ、治具の選択幅を広げることができる。
【図面の簡単な説明】
【図１】この発明の第１の実施形態に係る容器の斜視図である。
【図２】同容器におけるキャップの平面図である。
【図３】（Ａ）は同容器の一部の拡大断面図、（Ｂ）は同容器の他部の拡大断面図である。
【図４】同容器におけるキャップのロック解除動作を示す説明図である。
【図５】同容器におけるキャップのロック解除動作を示す説明図である。
【符号の説明】
１  容器
２  容器本体
３  キャップ
４  係合突条
５  ロック片
６  係合爪
７    薄肉部
８  横長開口
１０  治具挿通孔
【図１】
0003543102.tif 000002
【図２】
0003543102.tif 000003
【図３】
0003543102.tif 000004
【図４】
0003543102.tif 000005
【図５】
0003543102.tif 000006